(57)【要約】      （修正有）【課題】繰り返して着脱を行っても容器の吊掛孔の破断を防止できるフック具を提供する。【解決手段】吊掛孔１１１を有するシート状の基台部１１と収容物が収容された収容部ａ２とを有する容器を吊り下げるフック具であって、基台部を支持する本体部２２と、本体部に取り付けられ被吊り掛け部に吊り掛けられる吊掛部２１とを備え、本体部は、第１挟持部材と、第１挟持部材との間に隙間をあけて対向配置される第２挟持部材と、第１挟持部材と第２挟持部材とを連結する連結部材と、第１及び第２挟持部材のいずれか一方の挟持部材において、他方の挟持部材との対向面に設けられた突出部材２２４とを備え、両挟持部材の一端部から前記隙間へ、容器の基台部が挿入可能となっており、一端部とは反対側において連結部材が両挟持部材を連結し、両挟持部材が弾性的に互いに近接離間可能となっており、突出部材が、挿入された前記基台部の吊掛孔と係合可能に構成される。【選択図】図７
2014051315.tif 000002
【特許請求の範囲】
【請求項１】
吊掛孔を有するシート状の基台部と収容物が収容された収容部とを有する容器を吊り下げるフック具であって、
前記基台部を支持する本体部と、
前記本体部に取り付けられ、被吊り掛け部に吊り掛けられる吊掛部と、
を備え、
前記本体部は、
第１挟持部材と、
前記第１挟持部材との間に隙間をあけて対向配置される第２挟持部材と
前記第１挟持部材と第２挟持部材とを連結する連結部材と、
前記第１及び第２挟持部材のいずれか一方の挟持部材において、他方の挟持部材との対向面に設けられた突出部材と
を備え、
前記両挟持部材の一端部から前記隙間へ、前記容器の基台部が挿入可能となっており、
前記一端部とは反対側において前記連結部材が前記両挟持部材を連結し、前記両挟持部材が弾性的に互いに近接離間可能となっており、
前記突出部材が、挿入された前記基台部の吊掛孔と係合可能に構成されている、フック具。
【請求項２】
前記他方の挟持部材には、前記一方の挟持部材から離間するように膨出することで、前記隙間を広げる膨出部が形成されている、請求項１に記載のフック具。
【請求項３】
前記突出部材には、前記一端部から前記連結部材側に行くにしたがって前記他方の挟持部材側へ傾斜する傾斜面が形成されているとともに、前記連結部材側に段部が形成されている、請求項１または２に記載のフック具。
【請求項４】
前記連結部材には、表示具を挿入するための貫通孔が形成されており、当該貫通孔と対向する位置に前記突出部材が配置されている、請求項１から３のいずれかに記載のフック具。
【請求項５】
前記第１及び第２挟持部材のいずれか一方の挟持部材の両側には、前記隙間を側方から覆うガイド部が設けられている、請求項１から４のいずれかに記載のフック具。
【請求項６】
請求項１から５のいずれかに記載のフック具と、
前記フック具に吊り下げられるように構成され、吊掛孔を有し、シート状の基台部と薬剤が収容された収容部とを有し、前記収容部には、前記薬剤を外部に揮散させるように構成されている、容器と、
を備えている、薬剤揮散器。
【発明の詳細な説明】
【技術分野】
【０００１】
本発明は、吊掛孔を有する基台部と商品が収容された収容部とを有する商品容器を吊り下げるフック具それを用いた薬剤揮散器に関する。
【背景技術】
【０００２】
従来より、特許文献１に記載のような芳香剤用の容器が提案されている。この容器は、シート状の基台部に、芳香剤を収容する収容部が取り付けられており、基台部には吊掛孔が形成されている。これにより、この容器は、店舗の商品台のフックなどに吊り掛けられて展示される。このようなシート状の基台部を有する容器は、嵩張らないため、多数の容器を商品台のフックに吊り掛けることができる。
【先行技術文献】
【特許文献】
【０００３】
【特許文献１】実開昭６１−５９５５７号公報
【特許文献２】登録実用新案第３０５２５１５号公報
【発明の概要】
【発明が解決しようとする課題】
【０００４】
ところで、上記のような容器は、商品台のフックなどに吊掛孔を吊り掛けて使用されるが、基台部が紙のような脆弱な材料で形成されている場合には、容器を商品台のフックに対して何度も着脱することで吊掛孔が弱くなり、最終的に破断して容器が商品台のフックから落下するおそれがある。特に、展示品のように、商品台のフックから取り外し、購買者の手にとって商品を確認するような容器は、何度も取り外しが行われるため、吊掛孔が破断する可能性が高い。一方、特許文献２には、樹脂製の吊掛部材で芳香剤の容器を支持するタイプのフック具が開示されているが、シート状の基台部を支持できるようなものではない。そこで、本発明は、上記問題を解決するためになされたものであり、シート状の基台部を有する容器を支持可能であり、繰り返して着脱を行っても容器の吊掛孔が破断するのを防止することができるフック具及びそれを用いた薬剤揮散器を提供することを目的とする。
【課題を解決するための手段】
【０００５】
本発明に係るフック具は、吊掛孔を有するシート状の基台部と収容物が収容された収容部とを有する容器を吊り下げるフック具であって、前記基台部を支持する本体部と、前記本体部に取り付けられ、被吊り掛け部に吊り掛けられる吊掛部と、を備え、前記本体部は、第１挟持部材と、前記第１挟持部材との間に隙間をあけて対向配置される第２挟持部材と、前記第１挟持部材と第２挟持部材とを連結する連結部材と、前記第１及び第２挟持部材のいずれか一方の挟持部材において、他方の挟持部材との対向面に設けられた突出部材と、を備え、前記両挟持部材の一端部から前記隙間へ、前記容器の基台部が挿入可能となっており、前記一端部とは反対側において前記連結部材が前記両挟持部材を連結し、前記両挟持部材が弾性的に互いに近接離間可能となっており、前記突出部材が、挿入された前記基台部の吊掛孔と係合可能に構成されている。
【０００６】
この構成によれば、容器の基台部を支持する本体部と、この本体部に取り付けられる吊掛部を有しているため、容器の吊掛孔を使用せず、吊掛部を使用することで、容器を被吊り掛け部に対して吊り下げることができる。したがって、容器の基台部が脆弱な材料で形成されていたとしても、これを補強することができ、容器の落下を防止することができる。
【０００７】
また、両挟持部材の間に隙間を形成し、一方の挟持部材に突出部材を設けているため、容器の基台部を隙間に挿入し吊掛孔を突出部材に係合させることで、容器をフック具に固定することができる。したがって、容器の取り付けを容易に行うことができる。一方、容器を取り外すには、両挟持部材が弾性的に互いに近接離間可能となっているため、両挟持部材の隙間を押し広げた上で、容器の吊掛孔と突出部材との係合状態を解除すれば、容器を本体部から容易に取り外すことができる。
【０００８】
上記フック具において、他方の挟持部材には、一方の挟持部材から離間するように膨出することで、隙間を広げる膨出部を形成することができる。この構成によれば、一方の挟持部材に膨出部を設けて両挟持部材の隙間を広くしているため、容器を取り外すときに、隙間に指などを挿入しやすくなる。これにより、両挟持部材の隙間を押し広げやすくなり、その結果、容器を取り外しやすくなる。
【０００９】
上記いずれかのフック具において、突出部材には、一端部から連結部材側に行くにしたがって他方の挟持部材側へ傾斜する傾斜面を形成するとともに、連結部材側に段部を形成することができる。このように構成すると、容器を両挟持部材の一端部から挿入したときに、容器が傾斜面に乗り上げ、更に挿入すると、吊掛孔が段部に係合する。したがって、傾斜面によって吊掛孔を段部までスムーズに案内することができ、さらに、段部に吊掛孔が係合することで、段部が抜け止めになるため、容器がフック具から離脱するのを防止することができる。
【００１０】
上記いずれかのフック具において、連結部材には、表示具を挿入するための貫通孔を形成することができ、さらに、当該貫通孔と対向する位置に突出部材を配置することができる。こうすることで、貫通孔に挿入された表示具を突出部材で支持することができ、表示具から貫通孔から落下するのを防止することができる。
【００１１】
上記いずれかのフック具において、第１及び第２挟持部材のいずれか一方の挟持部材の両側には、隙間を側方から覆うガイド部を設けることができる。これにより、隙間に挿入した容器が幅方向に移動して隙間から離脱するのを防止することができる。その結果、吊掛孔が突出部材に係合するまで，容器をスムーズに案内することができる。
【００１２】
また、本発明に係る薬剤揮散器は、上述したいずれかのフック具と、前記フック具に吊り下げられるように構成され、吊掛孔を有するシート状の基台部と薬剤が収容された収容部とを有し、前記収容部には、前記薬剤を外部に揮散させるように構成されている、容器と、を備えている。
【発明の効果】
【００１３】
上記のように、本発明によれば、シート状の基台部を有する容器を支持可能であり、繰り返して着脱を行っても容器の吊掛孔が破断するのを防止することができる。
【図面の簡単な説明】
【００１４】
【図１】本発明の一実施形態に係る容器の斜視図である。
【図２】図１の断面図である。
【図３】フック具を上方から見た斜視図である。
【図４】フック具を下方から見た斜視図である。
【図５】図３のＡ−Ａ線断面図である。
【図６】本発明の一実施形態に係る薬剤揮散器の使用状態を示す正面図である。
【図７】図６の断面図である。
【図８】本発明の一実施形態に係る薬剤揮散器の正面図である。
【図９】図８の平面図である。
【図１０】図８の底面図である。
【図１１】図８の右側面図である。
【図１２】図８の背面図である。
【図１３】フック具を成形する成形型の断面図である。
【発明を実施するための形態】
【００１５】
以下、本発明に係る薬剤揮散器の一実施形態、つまり芳香剤が収容された容器をフック具に吊り下げた場合の一実施形態について、図面を参照しつつ説明する。図１は本実施形態に係る容器の斜視図、図２は図１の断面図、図３はフック具を上方から見た斜視図、図４はフック具を下方から見た斜視図、図５は図３のＡ−Ａ線断面図である。以下の説明では、便宜上、図５の上下方向を「上下方向」、左右方向を「前後方向」、左側を「前面」側、その右側を「背面」側と称する。また、図５の紙面の前後方向を「幅方向」、または「側方」とすることがある。
【００１６】
まず、芳香剤が収容された容器から説明する。図１及び図２に示すように、この容器１は、紙製の基材シート１１と、この基材シート１１に貼り付けられる樹脂製の透明のカバーフィルム１２とを備えている。基材シート１１は、矩形状に形成され、上部の幅ｄ１がやや狭くなっている。また、基材シート１１の上部には、幅方向に延びる矩形状の吊掛孔１１１が形成されており、この吊掛孔１１１が後述するフック具２に引っ掛けられる。カバーフィルム１２は、基材シート１１の前面を覆い、さらに上下に並ぶ２カ所の凹部、つまり第１凹１２１部及び第２凹部１２２が形成されている。すなわち、両凹部１２１，１２２の周縁から延びるフランジが基材シート１１を覆い、凹部１２１，１２２と基材シート１１との間には空間が形成される。なお、基材シート１１とカバーフィルム１２のフランジとで構成されるシート状の部材が、本発明における容器の基台部に相当する。
【００１７】
第１凹部１２１は、吊掛孔１１１の直下に設けられ、浅い矩形状に形成されている。この第１凹部１２１により形成される第１収容空間ａ１には何も収容されず、下方に延びるカバーフィルム１２を補強する役割を果たしている。但し、この第１収容空間ａ１には、種々のものを収容することができ、例えば、ネームタグなどの商品名が記載されたシートを封入することができる。一方、第１凹部１２１の下方に形成されている第２凹部１２２は、第１凹部１２１よりも深く、正面視円形に形成されている。そして、この第２凹部１２２と基材シート１１との間に形成される第２収容空間ａ２には、粒状の芳香剤（図示省略）が収容されている。また、第２凹部１２２の底面には、２個の貫通孔１２２１が形成されており、この貫通孔１２２１を塞ぐように、第２凹部１２２の前面には、取り外し可能な透明のシート１２３が貼り付けられている。そして、使用時に、このシート１２３を取り外すことで、貫通孔１２２１を介して第２収容空間ａ２と外部が連通し、これによって、芳香剤の芳香成分が貫通孔１２２１から外部へ揮散するようになっている。
【００１８】
次に、フック具２について説明する。図３〜図５に示すように、このフック具は、商品台のフックなど（被吊り掛け部）に引っかけられる吊掛部材２１と、上記容器１を吊り下げる本体部２２とを備えており、これらは可撓性を有するプラスチックなどの樹脂材料または金属材料などで一体的に形成されている。吊掛部材２１は、本体部２２の上端から水平に延びる水平部２１１と、水平部２１１の端部から下方へ延びる垂下部２１２とを有する側面視Ｌ字型に形成されている。水平部２１１には幅方向に並ぶ２つの貫通孔２１１１が形成されており、これら貫通孔２１１１に、例えば、紐を通して輪を形成することで、吊掛部材２１の代わりに本体部２２を引っかけるために用いることができる。
【００１９】
本体部２２は、板状に形成された第１挟持部材２２１及び第２挟持部材２２２を備えており、これら挟持部材２２１，２２２は、隙間Ｓ（Ｓ１，Ｓ２）をあけて対向配置されている。また両挟持部材２２１，２２２の上端部は、連結部材２２３によって連結される一方、両挟持部材２２１，２２２の下端部（一端部）は隙間Ｓに連通する開口を形成している。そして、この開口には、後述するように、容器１の上端部が挿入される。上記のように、フック具２は可撓性を有する材料で一体的に形成されているため、両挟持部材２２１，２２２は，弾性的に近接離間することが可能となっている。
【００２０】
第１挟持部材２２１の背面の上端部には、上述した吊掛部材２１の水平部２１１が連結されている。一方、第１挟持部材２２１の前面の中央には、図５に示すように、幅方向に延びる矩形状の突出部材２２４が一体的に取り付けられている。突出部材２２４は、第２挟持部材２２２側へ突出しており、下端部に傾斜面２２４１が形成されている。この傾斜面２２４１は、下方から上方にいくにしたがって、第２挟持部材２２２側に近づくように傾斜している。そして、突出部材２２４の上端部には段部２２４２が形成されている。また、図４に示すように、第１挟持部材２２１の幅方向の両端部には、上下方向に沿って、第２挟持部材２２２側に突出する第１ガイド部２２１１がそれぞれ形成されている。両第１ガイド部２２１１間の幅Ｄ１は、容器１の上端部の幅ｄ１とほぼ同じであり、両第１ガイド部２２１１の間に容器１の上端部が配置され，幅方向の移動が制限される。さらに、第１挟持部材２２１の下端部において、第２挟持部材２２２と対向する端縁には面取り加工が施されており、第１傾斜面２２１２が形成されている。
【００２１】
第２挟持部材２２２は、幅方向の中央に第１挟持部材２２１から離間するように膨出する膨出部２２２１と、その両側に連結された一対の平坦部２２２２とを有している。膨出部２２２１は、平面視で円弧状に形成されており、第１挟持部材２２１の突出部材２２４と対向する位置に形成されている。これにより、平坦部２２２２と第１挟持部材２２１との隙間Ｓ１に比べ、膨出部２２２１が形成されている領域では、両挟持部材２２１，２２２の間の隙間Ｓ２が大きくなっている。一方、平坦部２２２２と第１挟持部材２２１との隙間Ｓ１は狭く、突出部材２２４の高さｈとほぼ同じである。また、第２挟持部材２２２は、第１挟持部材２２１よりもやや幅が広く形成されており、平坦部２２２２の両側には、上下方向に沿って、両挟持部材の隙間Ｓ１を覆う第２ガイド部２２２３がそれぞれ形成されている。第２ガイド部２２２３は、隙間Ｓ１を覆い、さらに第１挟持部材２２１の両側を覆う位置まで延びている。また、第２挟持部材２２２の下端部において、第１挟持部材２２１と対向する端縁には面取り加工が施されており、第２傾斜面２２２４が形成されている。図５に示すように、この第２傾斜面２２２４と第１挟持部材２２１の第１傾斜面２２１２とで、容器１の上端が挿入される開口を広くして挿入しやすいようにしている。
【００２２】
連結部材２２３は、上述したように、第１挟持部材２２１の全幅に亘って幅方向に延び、さらに第２挟持部材２２２の膨出部２２２１の上端を塞ぐように、両挟持部材２２１，２２２の上端部を連結している。また、連結部材２２３には、幅方向に延びる矩形状の貫通孔２２３１が形成されており、両挟持部材２２１，２２２の隙間Ｓに連通している。この貫通孔２２３１の位置は、突出部材２２４が形成されている位置と対応しており、さらに、貫通孔２２３１の形状と突出部材２２４の上端の形状とは一致している。この貫通孔２２３１には、商品タグ、価格タグなどの表示具を取り付けることができる。
【００２３】
次に、このフック具の使用方法について、図６〜図１２を参照しつつ説明する。図６は容器にフック具が取り付けられた薬剤揮散器の使用状態を示す正面図、図７は使用状態を示す図６の断面図、図８は薬剤揮散器の正面図、図９は図８の平面図、図１０は図８の底面図、図１１は図８の側面図、図１２は図８の背面図である。まず、図６及び図７に示すように、本体部２２の下端の開口に容器１の上端部を挿入する。挿入された容器１の上端部は、両挟持部材２２１，２２２の隙間Ｓに進入し、さらに突出部材２２４の下端部の傾斜面２２４１に乗り上げる。そして、さらに容器１を隙間Ｓに押し込むと、容器１の突出部材２２４が吊掛孔１１１に嵌まる。このとき、突出部材２２４の上端には段部２２４２が形成されているため、これが吊掛孔１１１の抜け止めになって容器１が本体部２２から離脱するのを防止している。また、容器１において吊掛孔１１１の両側の領域は、第２挟持部材２２２の平坦部２２２２と、第１挟持部材２２１との間の狭い隙間Ｓ１に配置されており、この隙間Ｓ１が突出部材２２４の高さｈとほぼ同じであるため、吊掛孔１１１が突出部材２２４から離脱するのを確実に防止している。こうして、容器１とフック具２が連結されて、薬剤揮散器が構成される。そして、フック具２の吊掛部材２１を商品台などに引っ掛ければ、容器１が商品台に展示される。そして、この容器１の芳香効果を得るには、容器１のシート１２３を取りし、貫通孔１２２１を介して第２収容空間ａ２を外部と連通させればよい。
【００２４】
一方、フック具２から容器１を取り外すには、次のようにする。まず、フック具２の本体部２２の下端部の開口に指などを挿入して両挟持部材２２１，２２２の隙間Ｓを押し広げる。このとき、第２挟持部材２２２には膨出部２２２１が設けられており、両挟持部材２２１，２２２の隙間Ｓ２の一部が大きくなっているため、この膨出部２２２１に指を引っ掛けると、隙間Ｓを押し広げやすくなる。こうして、隙間Ｓを広げているときに、突出部材２２４から容器１の吊掛孔１１１を離脱させ、容器１を下方に引き抜く。これにより、フック具２から容器１を取り外すことができる。あるいは、容器１の基材シート１１が紙などの破断可能な材料で形成されているときは、本体部２２から容器１を強く引き抜くと、吊掛孔１１１の上部が突出部材２２４の段部２２４２によって破断し、容器１を本体部２２から取り外すことができる。
【００２５】
以上のように、本実施形態によれば、両挟持部材２２１，２２２の間に隙間Ｓを形成し、第１挟持部材２２１に突出部材２２４を設けているため、容器１の基材シート１１を隙間に挿入し吊掛孔１１１を突出部材２２４に係合させることで、容器１をフック具２に固定することができる。したがって、容器の取り付けを容易に行うことができる。一方、容器を取り外すには、両挟持部材２２１，２２２が弾性的に互いに近接離間可能となっているため、両挟持部材２２１，２２２の隙間を押し広げた上で、容器１の吊掛孔１１１と突出部材２２４との係合状態を解除すれば、容器１を本体部２２から容易に取り外すことができる。
【００２６】
ところで、上記フック具２は、樹脂材料などで形成されるため、例えば、射出成形で製造することができる。このとき、本体部２２の両挟持部材２２１，２２２の隙間Ｓには突出部材２２４が形成され、さらに連結部材２２３には貫通孔２２３１が形成されているため、複雑な形状になっている。しかし、貫通孔２２３１の形状は、突出部材２２４の段部の形状と同一であり、さらに両者２２３１，２２４２の位置が一致しているため、図１３に示すような、成形型を用いて成形することができる。図１３に示す例では、本体部２２の上方に配置される上型１００と、下方に配置される下型２００とからなる成形型が示されている。上型１００は、本体部２２を上方から覆うとともに、貫通孔２２３１に挿入されて、突出部材２２４の段部２２４２に達する垂下部１０１が設けられている。そして、下型２００は、本体部２２を下方から覆うとともに、挟持部材２２１，２２２の隙間Ｓに挿入されて、突出部材２２４を下側から覆う延長部２０１が設けられている。このように、本体部２２においては、貫通孔２２３１の形状を突出部材２２４の段部２２４２と一致させているため、複雑な形状であるものの、上述した２つの型で成形することができる。なお、説明の便宜上、吊掛部材２１の成形部分は省略している。
【００２７】
以上、本発明の一実施形態について説明したが、本発明は上記実施形態に限定されるものではなく、その趣旨を逸脱しない限りにおいて、種々の変更が可能である。例えば、上記実施形態では、吊掛部として、Ｌ字型の吊掛部材２１を設けているが、本発明の吊掛部は、本体部２２を商品台などの被吊り掛け部に吊り掛けられるものであれば、その形状、形態は特には限定されず、例えば、商品台の棒状の被吊り掛け部に吊り掛けられるよう、紐などを含む構成としたり、凹部や貫通孔を有するような構成とすることができる。
【００２８】
挟持部材２２１，２２２は板状でなくてもよく、両者の間に隙間Ｓが形成されればその形状は特には限定されない。
【００２９】
また、容器１は、吊掛孔１１１が形成されたシート状の基台部を有するものであれば、特には限定されず、収容物も芳香剤以外であってもよい。また、収容物を収容する収容空間（収容部）の形状も収容物を収容できれば特には限定されず、収容物の形態によって適宜変更することができる。したがって、必ずしも空間を形成する必要はなく、収容物が基台部から離れないようになっていれば，その形態は特には限定されない。そして、薬剤以外の収容物が収容された容器をフック具と連結すると、吊り下げ具として利用される。
【符号の説明】
【００３０】
１  容器
１１  基材シート（基台部）
１２  カバーフィルム（フランジが基台部に相当）
１１１  吊掛孔
２  フック具
２１  吊掛部材（吊掛部）
２２  本体部
２２１  第１挟持部材
２２２  第２挟持部材
２２２３  第２ガイド部（ガイド部）
２２３  連結部材
２２４  突出部材
２２４１  傾斜面
２２４２  段部
２２３１  貫通孔
ａ１  第１収容空間（収容部）
ａ２  第２収容空間（収容部）
【図１】
2014051315.tif 000003
【図２】
2014051315.tif 000004
【図３】
2014051315.tif 000005
【図４】
2014051315.tif 000006
【図５】
2014051315.tif 000007
【図６】
2014051315.tif 000008
【図７】
2014051315.tif 000009
【図８】
2014051315.tif 000010
【図９】
2014051315.tif 000011
【図１０】
2014051315.tif 000012
【図１１】
2014051315.tif 000013
【図１２】
2014051315.tif 000014
【図１３】
2014051315.tif 000015